(57)【特許請求の範囲】
【請求項１】
内刃(7)を駆動するモーター(15)と、このモーター(15)を装着しているモーター台(17)と、このモーター台(17)を収納している本体ケース(1A)と、この本体ケース(1A)の下方の開口部に固定されてなる蓋ケース(1B)とを備えており、モーター台(17)と本体ケース(1A)と蓋ケース(1B)とが以下の全ての構成を有することを特徴とする電気かみそり。
（ａ）  蓋ケース(1B)は、内側にモーター台(17)を挿入して固定できる筒状に成形されており、蓋ケース(1B)にモーター台(17)を挿入して、蓋ケース(1B)とモーター台(17)とが連結されている。
（ｂ）  モーター台(17)を本体ケース(1A)の内部に収納して、蓋ケース(1B)を本体ケース(1A)の開口部に固定している。
（ｃ）  モーター台(17)は、片方の側面に開口して、モーター(15)を嵌着する嵌着凹部(17A)を有する。
（ｄ）  蓋ケース(1B)は、モーター台(17)の嵌着凹部(17A)の開口部に位置して、嵌着凹部(17A)に装着されたモーター(15)が抜け出るのを阻止する抜止ストッパ(23)を有する。
（ｅ）  モーター台(17)は、嵌着凹部(17A)を装着されるモーター(15)で抜けないように定位置に接点リード(5)を装着しており、この接点リード(5)は、モーター(15)で定位置に装着されて、モーター(15)が蓋ケース(1B)で定位置に装着されるように構成されている。
【請求項２】
モーター台(17)に、スライドスイッチ(4)の摺動子(19)が往復運動できるように装着されており、この摺動子(19)は、モーター台(17)と本体ケース(1A)の隙間に配設されおり、本体ケース(1A)でもって、摺動子(19)がモーター台(17)から抜け落ちるのが阻止されてなる請求項１に記載される電気かみそり。
【請求項３】
モーター台(17)が引掛突起(31)を有し、この引掛突起(31)を外側から係止する引掛アーム(30)が蓋ケース(1B)に設けられており、引掛アーム(30)は本体ケース(1A)の内面に接近し、あるいは当接して配設されてなる請求項１に記載される電気かみそり。
【請求項４】
モーター台(17)が、接点リード(5)を装着する隔壁(17c)を底部に有し、接点リード(5)が装着された隔壁(17c)を嵌入する電極窓(22)が蓋ケース(1B)に開口されており、隔壁(17c)に装着された接点リード(5)の一部が、電極窓(22)から蓋ケース(1B)の外部に表出している請求項１に記載される電気かみそり。
【請求項５】
モーター台(17)の先端が本体ケース(1A)にネジ止して固定されてなる請求項１に記載される電気かみそり。
【発明の詳細な説明】
【０００１】
【発明の属する技術分野】
本発明は、電気かみそりの改良に関し、とくに、接点リードやモーターを簡単に装着して能率よく組み立てできる電気かみそりに関する。
【０００２】
【従来の技術】
電気かみそりは、内刃をモーターで駆動する。モーターは電力を供給するために、端子に接点リードを接続している。接点リードは、電池やスイッチ等に接続されて、モーターを駆動する。従来の電気かみそりは、モーターの端子にリード線を半田付して接続し、このモーターをケースに内蔵して固定している。ケースは、縦に２分割される形状に成形したもので、一方のケースにモーターが固定される。モーターを内蔵して、ふたつのケースは、たとえば、四隅部をネジ止して連結して組み立てされる。
【０００３】
【発明が解決しようとする課題】
この構造の電気かみそりは、モーターの端子にリード線を半田付け等の方法で接続するので、リード線の接続に手間がかかる欠点がある。さらに、モーターは、リード線を介してプリント基板やスイッチに接続した状態で、ケースの定位置に装着するので、モーターを単独でケースの決められた位置に装着できず、リード線を、姿勢等に制約を受けて能率よく装着できない欠点があった。また、モーターをケースに装着する工程で、リード線に無理な張力がかかって断線するなどの弊害も発生した。さらにまた、モーター等のパーツを、パーツフィーダ等を使用して別々に搬送して、自動組立ラインで組み立てる場合に、リード線を接続しているモーターは、リード線が邪魔になって、簡単に能率よく正確に移送できない等の弊害もあった。
【０００４】
本発明は、このような欠点を解決することを目的に開発されたものである。本発明の重要な目的は、モーターと接点リードの両方を、ケースの決められた位置に正確に装着できると共に、組み立てを簡単かつ容易に、しかも能率よくして、安価に多量生産できる電気かみそりを提供することにある。
【０００５】
【課題を解決するための手段】
本発明の請求項１の電気かみそりは、内刃７を駆動するモーター１５と、このモーター１５を装着しているモーター台１７と、このモーター台１７を収納している本体ケース１Ａと、この本体ケース１Ａの下方の開口部に固定されてなる蓋ケース１Ｂとを備えている。モーター台１７と本体ケース１Ａと蓋ケース１Ｂは、以下の独特の構成を備える。
（ａ）  蓋ケース１Ｂは、内側にモーター台１７を挿入して固定できる筒状に成形されている。モーター台１７が蓋ケース１Ｂに挿入されて、蓋ケース１Ｂとモーター台１７とが連結されている。
（ｂ）  モーター台１７を本体ケース１Ａの内部に収納して、蓋ケース１Ｂが本体ケース１Ａの開口部に固定される。
（ｃ）  モーター台１７は、簡単にモーター１５を装着できるように、片方の側面に開口して、モーター１５を嵌着する嵌着凹部１７Ａを設けている。
（ｄ）  蓋ケース１Ｂは、モーター台１７の嵌着凹部１７Ａの開口部に位置して、嵌着凹部１７Ａに装着されたモーター１５が抜け出るのを阻止する抜止ストッパ２３を有する。
（ｅ）  モーター台１７は、嵌着凹部１７Ａに装着されるモーター１５で抜けないように定位置に接点リード５を装着している。接点リード５は、モーター１５で定位置に装着されており、モーター１５は蓋ケース１Ｂで定位置に装着されている。
【０００６】
本発明の請求項２の電気かみそりは、モーター台１７に、スライドスイッチ４の摺動子１９を往復運動できるように装着している。摺動子１９は、モーター台１７と本体ケース１Ａの隙間に配設されている。本体ケース１Ａは、摺動子１９がモーター台１７から抜け落ちるのを阻止している。
【０００７】
本発明の請求項３の電気かみそりは、モーター台１７に引掛突起３１を設けている。この引掛突起３１を外側から係止する引掛アーム３０を蓋ケース１Ｂに設けている。引掛アーム３０は本体ケース１Ａの内面に接近し、あるいは当接して配設されている。引掛アーム３０の外側に設けられた本体ケース１Ａは、引掛アーム３０の変形を阻止して、モーター台１７が蓋ケース１Ｂから抜けるのを阻止している。
【０００８】
本発明の請求項４の電気かみそりは、モーター台１７に、接点リード５を装着する隔壁１７ｃを底部に設けている。一方、蓋ケース１Ｂは、接点リード５の装着された隔壁１７ｃを嵌入するための電極窓２２を開口している。隔壁１７ｃに装着された接点リード５の一部は、電極窓２２から蓋ケース１Ｂの外部に表出している。蓋ケース１Ｂの電極窓２２は、接点リード５を位置ずれしないように、定位置に装着する。
【０００９】
本発明の請求項５の電気かみそりは、モーター台１７の先端を本体ケース１Ａにネジ止して、モーター台１７と本体ケース１Ａとを固定している。
【００１０】
【発明の実施の形態】
以下、本発明の実施例を図面に基づいて説明する。ただし、以下に示す実施例は、本発明の技術思想を具体化するための電気かみそりを例示するものであって、本発明は電気かみそりを以下のものに特定しない。
【００１１】
さらに、この明細書は、特許請求の範囲を理解しやすいように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１２】
図１と図２に示す電気かみそりは、カミソリ本体１と、このカミソリ本体１に脱着自在に連結されてなる、キャップ２０およびアウターケース２１からなる外カバー２と、カミソリ本体１の下方に脱着自在に連結される電池ケース６とを備える。外カバー２であるアウターケース２１は、カミソリ本体１の下方に連結され、キャップ２０は、カミソリ本体１のほぼ全体を挿入するように、カミソリ本体１に装着している。
【００１３】
カミソリ本体１は、上端に外刃３を脱着自在に装着しており、この外刃３の内面に内刃７を弾性的に押圧する状態で往復運動できるように内蔵させている。カミソリ本体１の分解斜視図を図３に示す。この図のカミソリ本体１は、本体ケース１Ａと、この本体ケース１Ａの開口部に水密に挿入して連結された蓋ケース１Ｂと、蓋ケース１Ｂに連結されるモーター台１７と、モーター台１７に装着されるモーター１５と、このモーター１５に駆動して往復運動される内刃台１６と、モーター１５の運転を制御するスライドスイッチ４とを備える。本体ケース１Ａと蓋ケース１Ｂとモーター台１７と内刃台１６は、プラスチックの成形品である。
【００１４】
本体ケース１Ａは、着色された透明のプラスチックを、下方を開口している楕円筒状に成形している。本体ケース１Ａは、下方の開口部に蓋ケース１Ｂを挿入し、蓋ケース１Ｂで水密に下方を閉塞している。本体ケース１Ａは、モーター１５や内刃台１６等を装着しているモーター台１７を内部に収納できる大きさで、先端となる上部に向かって次第に細く成形している。
【００１５】
さらに、本体ケース１Ａは、モーター台１７を収納することに加えて、モーター台１７と蓋ケース１Ｂとの連結を外れないようにするパーツに併用される。このことを実現するために、本体ケース１Ａは、内面を、蓋ケース１Ｂに設けた引掛アーム３０に接近させ、あるいは接触するように成形している。本体ケース１Ａの内面に接近し、あるいは接触する引掛アーム３０は、本体ケース１Ａに当って変形が阻止される。モーター台１７と蓋ケース１Ｂは、モーター台１７の両側に設けられた引掛突起３１を、蓋ケース１Ｂの両側に設けられた引掛アーム３０で挟着しながら係止して連結されている。このため、引掛アーム３０が変形しないかぎり、モーター台１７の引掛突起３１は、引掛アーム３０から外れることがない。したがって、この構造は、モーター台１７を、外れないように蓋ケース１Ｂに連結できる。
【００１６】
さらにまた、本体ケース１Ａは、スライドスイッチ４の摺動子１９が、モーター台１７から外れないパーツにも併用される。このことを実現するために、本体ケース１Ａの内面を、往復運動するスライドスイッチ４の摺動子１９に接近させている。いいかえると、スライドスイッチ４の摺動子１９を、モーター台１７と本体ケース１Ａとの間の隙間で往復運動させている。この摺動子１９は、モーター台１７から外れようとするとき、本体ケース１Ａの内面に接触して、外れるのが防止される。この構造は、摺動子１９を簡単な構造でモーター台１７に連結して、しかも、モーター台１７に外れないように連結できる特長がある。
【００１７】
蓋ケース１Ｂは、本体ケース１Ａの開口部に水密に挿入される楕円筒状に成形され、図４に示すように、底に電極窓２２を開口し、図３に示すように、両側に引掛アーム３０を突出して設けている。引掛アーム３０は、先端部に、モーター台１７の引掛突起３１を係止する係止孔を設けている。蓋ケース１Ｂの楕円筒状に成形している部分は、下部をアウターケース２１に挿入する挿入連結部８とし、その上方を、本体ケース１Ａに挿入して連結する水密連結部１０としている。
【００１８】
水密連結部１０と挿入連結部８は、リング状に溝（図示せず）を設けて、この溝にパッキン１１を嵌入している。水密連結部１０に設けられたパッキン１１は、本体ケース１Ａの内面に密着して、蓋ケース１Ｂを本体ケース１Ａに水密に連結する。挿入連結部８に設けたパッキン１１は、アウターケース２１の内面に密着して、アウターケース２１を水密に連結する。
【００１９】
蓋ケース１Ｂの挿入連結部８は、アウターケース２１を連結する部分よりも下方を多少細くして、電池ケース６の嵌着連結部１２としている。嵌着連結部１２は、電池ケース６を連結するための引掛凸部１３を、対向する位置に突出して設けている。この引掛凸部１３を案内するための引掛穴１４は、電池ケース６の上端に開口している。さらに、電池ケース６は、先端の内面形状を、嵌着連結部１２の外形よりも多少大きく、いいかえると、電池ケース６の上端に嵌着連結部１２を入れた状態で、電池ケース６を多少回転できるようにしている。この電池ケース６は、嵌着連結部１２に入れた後、少し回転させると、引掛凸部１３が引掛穴１４に案内されて、抜けないように連結される。
【００２０】
さらに、蓋ケース１Ｂは、楕円筒状に成形された部分の内面に突出して、モーター１５が抜け出るのを阻止する抜止ストッパ２３を２列に一体成形して設けている。抜止ストッパ２３は、図５に示すモーター台１７の嵌着凹部１７Ａの開口部に位置して配設され、モーター台１７の嵌着凹部１７Ａに装着されたモーター１５が抜け出るのを阻止する。したがって、この抜止ストッパ２３は、モーター台１７に装着されたモーター１５の表面に接近し、あるいは当接する高さに成形されている。
【００２１】
また、図３に示す、蓋ケース１Ｂは、抜止ストッパ２３と対向する内面に、モーター台１７を定位置に案内するガイド凸条２４を一体成形している。この構造の蓋ケース１Ｂは、ガイド凸条２４と抜止ストッパ２３とで、モーター１５の装着されたモーター台１７を挟着して定位置に装着できる。
【００２２】
モーター台１７は、両側に、蓋ケース１Ｂの両側に設けられた引掛アーム３０に連結される引掛突起３１を設けている。引掛突起３１は、引掛アーム３０の係止孔に対向する位置で、外側に突出して設けられている。モーター台１７は、この係止突起３１が引掛アーム３０の係止孔に嵌入されて、２本の引掛アーム３０に挟着される状態で係止されて蓋ケース１Ｂに連結される。
【００２３】
さらに、モーター台１７は、図５に示すように、片方の側面に開口して、モーター１５を嵌着する嵌着凹部１７Ａを設けている。嵌着凹部１７Ａは、モーター１５の両側と先端面に位置する周壁１７ａと、モーター１５の後端面に位置して、モーター１５の軸受凸部を囲むように成形されたコ字状の周壁１７ｂで成形される。嵌着凹部１７Ａは、モーター１５を入れると、モーター１５が自重で落下しない形状、いいかえると、嵌着凹部１７Ａを下向きにしても、モーター１５が自重で抜け落ちない大きさに成形される。コ字状の周壁１７ｂと、両側の周壁１７ａとの間には、接点リード５を配設するためのスペースを設けている。モーター１５は、周壁１７ａ、１７ｂの内側に形成される嵌着凹部１７Ａにはめ込まれて、定位置に装着される。
【００２４】
さらに、モーター台１７は、接点リード５を装着する隔壁１７ｃ、１７ｄを底部とその両側に設けている。底部の隔壁１７ｃは、図４の底面図に示すように、蓋ケース１Ｂの電極窓２２に、ほぼ隙間なく嵌入できる大きさである。モーター台１７が蓋ケース１Ｂの定位置に装着されると、底部の隔壁１７ｃは、電極窓２２に入れられて、ここに装着している接点リード５を外部に表出させる。電極窓２２から表出する接点リード５は、カミソリ本体１に装着される電池ケース６の電極に接触して、カミソリ本体１に電力を供給する。
【００２５】
接点リード５は、図５に示すように底とその両側の隔壁１７ｃ、１７ｄに装着される。隔壁１７ｃは、折曲された接点リード５を装着するために、スリット１７ｅを設けている。接点リード５は、図に示すように３枚で構成される。図の右に位置する第１接点リード５Ａは、下端を電池に接続し、上部をモーター１５に接続する。中央の第２接点リード５Ｂは、下端をモーター１５に接続して、上部をスライドスイッチの接点としている。左の第３接点リード５Ｃは、上部をスライドスイッチの接点とし、下端を電池に接続する。
【００２６】
第１接点リード５Ａと第２接点リード５Ｂは、モーター１５の端子１５Ａを介してモーター台１７に抜けないように装着される。これ等の接点リード５は、モーター１５の端子１５Ａに押圧される弾性片５ａを有する。第１接点リード５Ａは上端に、第２接点リード５Ｂは下端に弾性片５ａを設けている。弾性片５ａは、モーター１５を装着するときに、図６に示すように変形して、その端子１５Ａで押圧されるように、逆Ｖ字状に折曲する。
【００２７】
第１接点リード５Ａは、電池に接続される下端の先端縁をＺ字状に折曲して、隔壁１７ｃのスリット１７ｅに挿入して装着される。さらに、この第１接点リード５Ａは、全体をＬ字状に折曲して、底部の隔壁１７ｃのスリット１７ｅから右側の隔壁１７ｄの外側に沿うようにして装着される。さらに、弾性片５ａを設けている上端部は、隔壁１７ｄの外側から内側に案内するために、この部分を内側に折曲している。第１接点リード５Ａは、隔壁１７ｄのスリット１７ｅに挿入してモーター台１７の定位置に装着され、弾性片５ａをモーター１５の端子１５Ａで押圧して、モーター台１７に外れないように装着される。
【００２８】
第２接点リード５Ｂは、上部をコ字状に突出させる形状に折曲加工している。コ字状に突出する部分は、図５において、モーター台１７の裏面に突出して、スライドスイッチの接点となる。モーター台１７は、第２接点リード５Ｂのコ字状突出部分を、裏面に突出させるために、コ字スリット１７ｆを開口している。このコ字スリット１７ｆに、図５の矢印Ａで示す方向に、第２接点リード５Ｂを挿入して定位置に固定するために、モーター台１７は、隔壁１７ｄに対して直角に、コ字スリット１７ｆの内側に位置して、固定リブ１７ｇを一体成形している。第２接点リード５Ｂは、図５において、矢印Ａで示す方向に挿入して、コ字状突出部分を固定リブ１７ｇの裏面に装着し、弾性片５ａをモーター１５の端子１５Ａで押圧して、図６に示すように、モーター台１７の垂直面に外れない状態で装着される。
【００２９】
第３接点リード５Ｃは、第１接点リード５Ａと同じように、電池に接続される下端の先端縁をＺ字状に折曲して、隔壁１７ｃのスリット１７ｅに挿入して装着される。さらに、この第３接点リード５Ｃも、全体をＬ字状に折曲して、底部の隔壁１７ｃのスリット１７ｅから左側の隔壁１７ｄの外側に沿うようにして装着される。さらに、スライドスイッチの接点となる上部を、コ字状に突出させる形状に折曲加工している。コ字状に突出する部分は、第２接点リード５Ｂと同じように、図５において、モーター台１７の裏面に突出して、スライドスイッチの接点となる。モーター台１７は、第３接点リード５Ｃのコ字状突出部分を、裏面に表出して定位置に保持するために、固定リブ１７ｈを設けている。この固定リブ１７ｈは、第２接点リード５Ｂを固定する固定リブ１７ｇと、隔壁１７ｄの反対側に突出して同一平面に設けている。第３接点リード５Ｃは、下端部を隔壁１７ｃに装着した状態で、上端部を図５において、矢印Ｂで示す方向に挿入して、コ字状突出部分を固定リブ１７ｈの裏面に装着してモーター台１７に外れないように装着される。
【００３０】
第２接点リード５Ｂと第３接点リード５Ｃは、図５を裏面から見た図７の斜視図に示すように、固定リブに装着されるコ字状突出部分を、隣接するスライドスイッチの接点として併設する。スライドスイッチは、併設される接点を、摺動接点２５で接続してスイッチをオンにする。摺動接点２５は、図７に示すように、上部を摺動子１９に連結し、下部を接点に沿って往復運動させる。図７の摺動接点２５は、上方に移動されると、隣接して配設される接点リード５の接点に接触してスイッチをオン、下方に移動されると、図７において右側の第３接点リード５Ｃの接点に接触しなくなって、オフになる。
【００３１】
摺動子１９は、図７において上下に往復運動できるようにモーター台１７に連結される。この摺動子１９は、断面形状をほぼＺ字状として、摺動接点２５を装着する装着面１９Ａと、この装着面１９Ａに対して直角に連結される連結面１９Ｂと、この連結面１９Ｂに対してさらに直角に連結されるアーム面１９Ｃとからなっている。
【００３２】
装着面１９Ａは、縦に延長してガイドリブ１９Ｄを設けている。このガイドリブ１９Ｄは、摺動接点２５に設けたスリット２５Ａを貫通して、モーター台１７に設けられたガイドスリット１７ｉに摺動できるように挿入されている。ガイドリブ１９Ｄが、ガイドスリット１７ｉを摺動して、摺動子１９は、上下に移動される。さらに、この装着面１９Ａは、ガイドリブ１９Ｄの反対面に、抜止凸部１９Ｅを設けている。抜止凸部１９Ｅは、本体ケース１Ａの内面に接近している。この構造は、摺動子１９を、モーター台１７と本体ケース１Ａの間に配設して、本体ケース１Ａでもって、摺動子１９をモーター台１７に抜け落ちないように連結できる。
【００３３】
連結面１９Ｂは、図７においては反対面となって見えないが、抜止凸部１９Ｅと反対側の面に、ガイドフックを突出して設けている。ガイドフックも、モーター台１７に設けられたガイドスリット１７ｊを摺動して、摺動子１９を抜けないようにモーター台１７に連結する。この構造の摺動子１９は、抜止凸部１９Ｅとガイドフックの両方で抜けないようにモーター台１７に連結できる。
【００３４】
アーム面１９Ｃは、回動アーム２６先端のピン２６Ａを連結するために横スリット１９Ｆを開口している。回動アーム２６が回転されると、先端のピン２６Ａが横スリット１９Ｆ内を摺動して、摺動子１９が上下に移動される。
【００３５】
回動アーム２６は、本体ケース１Ａに回転できるように水密に連結されたクランク軸（図示せず）に連結して回動される。クランク軸は、クランクアームを本体ケース１Ａの表面側に設けている。クランクアームは、その先端に設けたクランクピンを、本体ケース１Ａの表面に往復運動できるように連結されたスライド摘み４Ａの横溝に連結している。この構造のスライドスイッチ４は、スライド摘み４Ａを上下に移動させて、オンオフに切り換える。スライド摘み４Ａが往復運動されると、クランク軸が回動され、クランク軸は回動アーム２６を回動させ、回動アーム２６は摺動子１９を上下に往復運動させる。
【００３６】
モーター台１７は、上端の両側に、上方に突出する連結支柱１７Ｂを有する。連結支柱１７Ｂは、図３に示すように、内刃台１６を挟着して、本体ケース１Ａの内面にネジ止して固定される。連結支柱１７Ｂは、２本の間に内刃台１６を配設している。内刃台１６は、先端に内刃を連結する駆動ロッド１６Ａを、本体ケース１Ａから突出させている。駆動ロッド１６Ａをパッキンゴム１８を介して、水密に本体ケース１Ａから突出している。パッキンゴム１８は、本体ケース１Ａの上面に固定される固定プレート２７に挟着して、本体ケース１Ａに水密に固定される。パッキンゴム１８の内面は、駆動ロッド１６Ａの外側面に水密に密着している。さらに、パッキンゴム１８は、駆動ロッド１６Ａを往復運動できる柔軟性を有する。固定プレート２７は、モーター台１７をねじ込まれる止ネジ２８で固定される。
【００３７】
内刃台１６は、駆動ロッド１６Ａを往復運動させるために、その両側を、弾性アーム１６Ｂを介して連結支柱１７Ｂと本体ケース１Ａとに固定している。駆動ロッド１６Ａを設けている部分は、下面に横方向に摺動スリット（図示せず）を設けている。この摺動スリットにモーター１５の回転軸に固定している偏心ピン２９を挿入している。モーター１５が回転されると、図５に示す偏心ピン２９が摺動スリットを摺動して、内刃台１６の駆動ロッド１６Ａを往復運動させる。往復運動する駆動ロッド１６Ａは、内刃７を外刃３の内面で往復運動させて、髭をカットする。
【００３８】
以上の構造のカミソリ本体１は、以下のようにして組立される。
▲１▼  蓋ケース１Ｂから分離した状態で、モーター台１７に接点リード５を装着する。
▲２▼  モーター台１７の嵌着凹部１７Ａにモーター１５を装着して、モーター１５で接点リード５を定位置に固定する。
▲３▼  モーター台１７にスライドスイッチ４の摺動接点２５と摺動子１９とを装着する。
▲４▼  モーター台１７を蓋ケース１Ｂに入れて連結する。
▲５▼  モーター台１７を連結している蓋ケース１Ｂを、本体ケース１Ａに挿入する。このとき、モーター台１７と本体ケース１Ａとの間に内刃台１６を挟着する。
▲６▼  本体ケース１Ａの上面に固定プレート２７を装着し、固定プレート２７、本体ケース１Ａ、内刃台１６を貫通させて止ネジ２８をモーター台１７の連結支柱１７Ｂにねじ込んで、これ等を固定する。
▲７▼  本体ケース１Ａの上部に、外刃３を連結するための連結パーツを装着し、内刃台１６の駆動ロッド１６Ａに内刃を連結し、連結パーツを介して外刃３を装着する。
【００３９】
以上のようにして組み立てた本体ケース１Ａは、電池ケース６を連結し、さらに、電池ケース６の外側にアウターケース２１を装着して使用する。使用しないときは、本体ケース１Ａにキャップ２０を装着して外刃３を保護する。
【００４０】
アウターケース２１は、電池ケース６を内蔵できる大きさの楕円筒状で、その上端に、カミソリ本体１に脱着自在に連結される筒状開口部９を設け、底を閉塞している。アウターケース２１は、開口部に化粧リング２１Ｂを固定している。アウターケース２１は、内部が透けて見える着色された透明のプラスチックで成形している。アウターケース２１は、カミソリ本体１の下端部に設けた挿入連結部８に、筒状開口部９を挿入して連結される。
【００４１】
アウターケース２１とキャップ２０からなる外カバー２は、同じ色で、内部が見える程度に透明のプラスチックで成形することができる。この電気かみそりは、使用しないときに、カミソリ本体１にキャップ２０を被着し、キャップ２０とアウターケース２１とを装着した状態で持ち運びする。キャップ２０とアウターケース２１からなる外カバー２を同じ色に着色して、透明のプラスチックで成形している電気かみそりは、外観を美しいシースルースタイルにできる。また、キャップ２０とアウターケース２１で、内部を充分に保護できる特長がある。
【００４２】
キャップ２０は、カミソリ本体１の本体ケース１Ａの全体を挿入できる内形の楕円筒状で上端を閉塞した形状に成形される。キャップ２０下端の内形は、本体ケース１Ａ下端の外形にほぼ等しく成形される。キャップ２０をカミソリ本体１に被着した状態で、キャップ２０と本体ケース１Ａとの間に隙間ができないようにするためである。さらに、キャップ２０は、カミソリ本体１に被着した状態で、上端の内面に外刃３が接触しないように、外刃３との間に隙間ができる大きさに成形される。外刃３がキャップ２０の内面に接触して衝突すると、薄い金属刃である外刃３が変形したり損傷するので、これを防止するためである。さらに、キャップ２０は、下端から上端に向かって、次第に本体ケース１Ａとの隙間が広くなる形状に成形される。キャップ２０は、下端縁をアウターケース２１に隙間なく当接する状態でカミソリ本体１に装着される。
【００４３】
【発明の効果】
本発明の電気かみそりは、モーターと接点リードの両方を、ケースの決められた位置に正確に装着できる特長がある。それは、本発明の電気かみそりが、モーターを装着して本体ケースに収納されるモーター台に、モーターを嵌着する嵌着凹部を設けており、モーター台に連結されて本体ケースに固定される蓋ケースに、嵌着凹部に装着されたモーターが抜け出るのを阻止する抜止ストッパを設け、さらに、嵌着凹部に装着されるモーターで、接点リードを抜けないように定位置に装着すると共に、蓋ケースでモーターを定位置に装着しているからである。この構造の電気かみそりは、嵌着凹部に装着されるモーターを、接点リードを定位置に装着する部材に併用して、モーターでもって、接点リードを定位置に正確に装着できる。しかも、嵌着凹部に装着されたモーターは、蓋ケースに設けられた抜止ストッパで、抜け出るのが有効に阻止されて定位置に保持される。このため、本発明の電気かみそりは、モーターと接点リードの両方を、ケースの決められた位置に正確に、しかも、確実に装着できる特長がある。
【００４４】
さらに、本発明の電気かみそりは、モーターで接点リードを定位置に装着しているので、従来のように、モーターの端子にリード線を半田付け等の方法で接続する必要がない。このため、従来の電気かみそりの製造で発生した、モーターに接続されるリード線による種々の弊害を解消できる。しかも、本発明の電気かみそりは、リード線を使用することなく、モーターで接点リードを定位置に装着しているので、部品点数を少なくして、簡単かつ容易に組立できるできる特長がある。このように、部品点数を極減して、少ない製造工程で製造できる本発明の電気化かみそりは、能率よく、安価に多量生産できる特長が実現できる。
【００４５】
さらに、本発明の請求項２の電気かみそりは、モーター台に、スライドスイッチの摺動子を往復運動できるように装着すると共に、摺動子をモーター台と本体ケースの隙間に配設している。このため、この電気かみそりは、本体ケースを、摺動子がモーター台から抜け落ちるのを阻止する部材に併用して、簡単な構造で、摺動子を確実に往復運動できる特長がある。
【００４６】
さらに、本発明の請求項３の電気かみそりは、モーター台が蓋ケースから抜けるのを確実に阻止できる特長がある。それは、この電気かみそりが、モーター台に引掛突起を設けて、この引掛突起を外側から係止する引掛アームを蓋ケースに設けると共に、引掛アームを本体ケースの内面に接近させ、あるいは当接して配設しているからである。この構造電気かみそりは、引掛アームの外側に設けられた本体ケースが引掛アームの変形を阻止するので、引掛突起と引掛アームの係止状態が解除されることなく、モーター台が蓋ケースから抜けるのを確実に阻止できる。
【００４７】
本発明の請求項４の電気かみそりは、モーター台に、接点リードを装着する隔壁を底部に設けると共に、蓋ケースに、接点リードの装着された隔壁を嵌入するための電極窓を開口し、接点リードの一部を電極窓から蓋ケースの外部に表出している。この構造の電気かみそりは、蓋ケースの電極窓から表出する接点リードが、電極窓で位置ずれを阻止されるので、定位置に確実に装着できる特長がある。さらに、電極窓から表出する接点リードは、ここから簡単に電源供給できる特長もある。
【００４８】
本発明の請求項５の電気かみそりは、モーター台の先端を本体ケースにネジ止して固定しているので、モーター台をより強固に本体ケースに固定できる特長がある。
【図面の簡単な説明】
【図１】本発明の実施例の電気かみそりの斜視図
【図２】図１に示す電気かみそりを分解した状態を示す斜視図
【図３】図１に示す電気かみそりのカミソリ本体の分解斜視図
【図４】図２に示すカミソリ本体の底面図
【図５】図３に示すカミソリ本体のモーター台と接点リードの分解斜視図
【図６】カミソリ本体にモーターを装着した状態を示す断面図
【図７】図５に示すモーター台を裏面から見た斜視図
【符号の説明】
１…カミソリ本体        １Ａ…本体ケース      １Ｂ…蓋ケース
２…外カバー
３…外刃
４…スライドスイッチ  ４Ａ…スライド摘み
５…接点リード        ５Ａ…第１接点リード    ５Ｂ…第２接点リード
５Ｃ…第３接点リード
５ａ…弾性片
６…電池ケース
７…内刃
８…挿入連結部
９…筒状開口部
１０…水密連結部
１１…パッキン
１２…嵌着連結部
１３…引掛凸部
１４…引掛穴
１５…モーター        １５Ａ…端子
１６…内刃台          １６Ａ…駆動ロッド      １６Ｂ…弾性アーム
１７…モーター台      １７Ａ…嵌着凹部        １７Ｂ…連結支柱
１７ａ…周壁            １７ｂ…周壁
１７ｃ…隔壁            １７ｄ…隔壁
１７ｅ…スリット        １７ｆ…コ字スリット
１７ｇ…固定リブ        １７ｈ…固定リブ
１７ｉ…ガイドスリット  １７ｊ…ガイドスリット
１８…パッキンゴム
１９…摺動子          １９Ａ…装着面          １９Ｂ…連結面
１９Ｃ…アーム面        １９Ｄ…ガイドリブ
１９Ｅ…抜止凸部        １９Ｆ…横スリット
２０…キャップ
２１…アウターケース  ２１Ｂ…化粧リング
２２…電極窓
２３…抜止ストッパ
２４…ガイド凸条
２５…摺動接点        ２５Ａ…スリット
２６…回動アーム      ２６Ａ…ピン
２７…固定プレート
２８…止ネジ
２９…偏心ピン
３０…引掛アーム
３１…引掛突起
【図１】
0003653386.tif 000002
【図２】
0003653386.tif 000003
【図３】
0003653386.tif 000004
【図４】
0003653386.tif 000005
【図５】
0003653386.tif 000006
【図６】
0003653386.tif 000007
【図７】
0003653386.tif 000008